(57)【要約】【課題】たて樋形状が丸樋と角樋のいずれであっても接続可能な雨水取出器を提供する。【解決手段】接続すべきたて樋６０が丸樋６１である場合に丸樋６１が接続される丸樋接続部１０と、接続すべきたて樋６０が角樋６２である場合に角樋６２が接続される角樋接続部２０とが共に雨水取出器１の下部に設けられ、丸樋接続部１０は、雨水流下路３５の外側において下方に延び、丸樋６１の内周面６１ａと接する外周面となって丸樋６１が外側に嵌合して接続される丸樋接続面１１を有し、角樋接続部２０は、丸樋接続面１１の外側において丸樋接続面１１と離間して下方に延び、角樋６２の外周面６２ａと接する内周面となって角樋６２が内側に嵌合して接続される角樋接続面２１を有することを特徴とする。【選択図】図１
2009079389.tif 000002
【特許請求の範囲】
【請求項１】
たて樋の中間部分に接続され、たて樋内を流下する雨水を雨水取出口から外部に取り出す雨水取出器であって、接続すべきたて樋が丸樋である場合に丸樋が接続される丸樋接続部と、接続すべきたて樋が角樋である場合に角樋が接続される角樋接続部とが共に雨水取出器の下部に設けられ、丸樋接続部は、雨水流下路の外側において下方に延び、丸樋の内周面と接する外周面となって丸樋が外側に嵌合して接続される丸樋接続面を有し、角樋接続部は、丸樋接続面の外側において丸樋接続面と離間して下方に延び、角樋の外周面と接する内周面となって角樋が内側に嵌合して接続される角樋接続面を有することを特徴とする雨水取出器。
【請求項２】
丸樋接続部は、角樋接続部の下端面よりも下方に突出していることを特徴とする請求項１に記載の雨水取出器。
【請求項３】
雨水取出器の上部に、たて樋が挿入される蓋体が配置され、蓋体には、丸樋の形状に対応する丸形状の開口部が形成され、蓋体における開口部の周縁部に、穴加工により開口部を角樋の形状に対応する角形状とすることができる穴加工面を有することを特徴とする請求項１または２に記載の雨水取出器。
【請求項４】
雨水取出器の上部に、たて樋が挿入される蓋体が配置され、蓋体は、硬質樹脂からなり角樋の形状に対応する角状開口部が形成された蓋体本体と、軟質樹脂からなり、角状開口部の内側に配置され、丸樋の形状に対応する丸状開口部を角状開口部の内側に形成する軟質部材とを有することを特徴とする請求項１または２に記載の雨水取出器。
【発明の詳細な説明】
【技術分野】
【０００１】
本発明は、雨水取出器に関するものである。
【背景技術】
【０００２】
従来、建物の屋根から排水される雨水を雨水貯留槽に貯留することにより雨水を有効利用するものとして、たて樋から雨水を取り出して雨水貯留槽に導入する雨水取出器が使用されている（特許文献１〜３参照）。
【０００３】
図８は、従来の雨水取出器の外観を示した斜視図である。この雨水取出器１００は、家屋などの屋根を流れる雨水を、のき樋などを通じてたて樋６０から流下させて地上に流す雨水の通路において、たて樋６０の中間部に接続され、たて樋６０内を流下する雨水を雨水取出口４から外部に取り出すものである。
【０００４】
雨水取出器１００は、たて樋６０内を流下する雨水を雨水取出口４から取り出す構造を内部に備えた雨水取出器本体２と、雨水取出器本体２の上部を覆い、たて樋６０の形状に対応した開口部１０１が形成された蓋体３とを備えている。
【０００５】
雨水取出器１００をたて樋６０に接続する施工時には、たて樋６０内を流下する雨水をたて樋６０から取り出す位置を決め、当該位置においてたて樋６０を所定の幅だけ切断し、切断部分の空隙に雨水取出器１００を嵌め込むようにして接続する。まず、切断部分上側のたて樋６０の下端部を蓋体３の開口部１０１に挿入して、雨水取出器本体２と共に上方に移動させる。
【０００６】
次に、切断部分下側のたて樋６０の周面に沿って雨水取出器１００下部の接続面を嵌合させながら雨水取出器１００を下方に落とし込み、当該接続面と、切断部分下側のたて樋６０の周面とを接着剤により接合し、これにより、切断部分上側のたて樋６０と雨水取出器１００と切断部分下側のたて樋６０とを接続する。
【０００７】
その後、雨水取出器１００の雨水取出口４と、別途の場所に設置された雨水貯留槽をホースなどで繋ぎ、たて樋６０内を流下する雨水を雨水取出器１００から取り出して雨水貯留槽に導入する。
【０００８】
このような雨水取出器１００を接続するたて樋６０には、従来、丸樋が多く使用されており、雨水取出器１００も丸樋接続用の構造を有するものが多い。
【特許文献１】特開２００７−１８２７００号公報
【特許文献２】特開２００６−２９９５０９号公報
【特許文献３】特開２００５−２８２２０６号公報
【発明の開示】
【発明が解決しようとする課題】
【０００９】
しかしながら、建物によっては、たて樋６０として角樋を使用している場合もあり、従来汎用されている丸樋接続用の雨水取出器１００を角樋に接続する際には、丸角異形継手を使用するか、あるいは雨水取出器１００として角樋接続用の別途のものを使用しなければならないという問題があった。
【００１０】
本発明は、以上の通りの事情に鑑みてなされたものであり、たて樋形状が丸樋と角樋のいずれであっても接続可能な雨水取出器を提供することを課題としている。
【課題を解決するための手段】
【００１１】
本発明は、上記の課題を解決するために、以下のことを特徴としている。
【００１２】
第１に、本発明の雨水取出器は、たて樋の中間部分に接続され、たて樋内を流下する雨水を雨水取出口から外部に取り出す雨水取出器であって、接続すべきたて樋が丸樋である場合に丸樋が接続される丸樋接続部と、接続すべきたて樋が角樋である場合に角樋が接続される角樋接続部とが共に雨水取出器の下部に設けられ、丸樋接続部は、雨水流下路の外側において下方に延び、丸樋の内周面と接する外周面となって丸樋が外側に嵌合して接続される丸樋接続面を有し、角樋接続部は、丸樋接続面の外側において丸樋接続面と離間して下方に延び、角樋の外周面と接する内周面となって角樋が内側に嵌合して接続される角樋接続面を有することを特徴とする。
【００１３】
第２に、上記第１の雨水取出器において、丸樋接続部は、角樋接続部の下端面よりも下方に突出していることを特徴とする。
【００１４】
第３に、上記第１または第２の雨水取出器において、雨水取出器の上部に、たて樋が挿入される蓋体が配置され、蓋体には、丸樋の形状に対応する丸形状の開口部が形成され、蓋体における開口部の周縁部に、穴加工により開口部を角樋の形状に対応する角形状とすることができる穴加工面を有することを特徴とする。
【００１５】
第４に、上記第１または第２の雨水取出器において、雨水取出器の上部に、たて樋が挿入される蓋体が配置され、蓋体は、硬質樹脂からなり角樋の形状に対応する角状開口部が形成された蓋体本体と、軟質樹脂からなり、角状開口部の内側に配置され、丸樋の形状に対応する丸状開口部を角状開口部の内側に形成する軟質部材とを有することを特徴とする。
【発明の効果】
【００１６】
上記第１の発明によれば、丸樋を接続可能な丸樋接続部と、角樋を接続可能な角樋接続部を雨水取出器の下部に設けたので、たて樋形状が丸樋と角樋のいずれであっても雨水取出器を接続することができる。
【００１７】
上記第２の発明によれば、丸樋接続部を角樋接続部の下端面よりも下方に突出させるようにしたので、上記第１の発明の効果に加え、角樋を接続した場合に、角樋接続部の下端面よりも下方に長く延びる丸樋接続部により、角樋接続部からの雨水の水漏れを抑制することができる。
【００１８】
上記第３の発明によれば、蓋体における開口部の周縁部に、穴加工により開口部を角樋形状とすることができる穴加工面を設けたので、上記第１および第２の発明の効果に加え、接続すべきたて樋が角樋である場合には、切断などによる穴加工を蓋体に施して、開口部を角樋の形状に対応する角形状とすることで、蓋体に角樋を挿入することができる。従って、接続すべきたて樋が丸樋と角樋のいずれであっても、開口部をたて樋と同じ形状とすることができるため、蓋体によって雨水取出器の上部を閉鎖し、外部からの塵埃、落ち葉などのゴミや虫の侵入を防止することができる。
【００１９】
上記第４の発明によれば、硬質樹脂からなる蓋体本体に角状開口部を形成すると共に、角状開口部の内側に軟質部材を配置して丸状開口部を形成したので、上記第１および第２の発明の効果に加え、接続すべきたて樋が角樋である場合には、角樋を押し込むことで柔軟な軟質部材を変形させて角状開口部に挿入することができる。一方、接続すべきたて樋が丸樋である場合には、軟質部材により形成された丸状開口部に丸樋を挿入することができる。従って、接続すべきたて樋が丸樋と角樋のいずれであっても、開口部をたて樋と同じ形状とすることができるため、蓋体によって雨水取出器の上部を閉鎖し、外部からの塵埃、落ち葉などのゴミや虫の侵入を防止することができる。
【発明を実施するための最良の形態】
【００２０】
以下、図面を参照しながら本発明を詳細に説明する。
【００２１】
図１は、本発明の第１の実施形態における雨水取出器の底面図、図２は、雨水取出器の下部側の縦断面図である。図３は、雨水取出器に丸樋を接続した状態を示す底面図、図４は、雨水取出器に角樋を接続した状態を示す底面図である。
【００２２】
本実施形態の雨水取出器１は、たて樋６０との接続構造以外は、図８に示す従来の雨水取出器１００と同様の構造を備えたものであり、たて樋６０内を流下する雨水を雨水取出口４から取り出す構造を内部に備えた雨水取出器本体２と、雨水取出器本体２の上部を覆う蓋体３とを備えている。雨水取出器本体２と蓋体３は、硬質ポリ塩化ビニルなどの合成樹脂で成形したものである。雨水取出器本体２内には、ゴミを除去した雨水を雨水貯留槽に導入するために、たとえば、雨水濾過材などを内設したり、たて樋６０内を流下する雨水を雨水取出口４に送るための受水面や、雨水取出口４への流路を雨水流下路３５から仕切る部材などを内設するようにしてもよい。
【００２３】
本実施形態の雨水取出器１は、たて樋６０が丸樋６１と角樋６２のいずれであっても接続できるように構成されており、図１〜図４に示すように、雨水取出器１の下部には、接続すべきたて樋６０が丸樋６１である場合に丸樋６１が接続される円筒状の丸樋接続部１０と、接続すべきたて樋６０が角樋６２である場合に角樋６２が接続される角筒状の角樋接続部２０とが設けられている。
【００２４】
丸樋接続部１０は、中央部の雨水流下路３５の外側において下方に延び、丸樋６１の内周面６１ａと接する外周面となって図３に示すように丸樋６１が外側に嵌合して接続される丸樋接続面１１を有している。
【００２５】
角樋接続部２０は、丸樋接続面１１の外側において、丸樋接続面１１と離間して下方に延び、角樋６２の外周面６２ａと接する内周面となって図４に示すように角樋６２が内側に嵌合して接続される角樋接続面２１を有している。
【００２６】
雨水取出器１を図３のように丸樋６１に接続する施工時には、丸樋６１内を流下する雨水を丸樋６１から取り出す位置を決め、当該位置において丸樋６１を所定の幅だけ切断し、切断部分の空隙に雨水取出器１を嵌め込むようにして接続する。雨水取出器１の蓋体３には、たとえば、後述する実施形態のものを使用することができる。まず、切断部分上側の丸樋６１の下端部を蓋体３の開口部に挿入して、雨水取出器本体２と共に上方に移動させる。
【００２７】
次に、切断部分下側の丸樋６１の内周面６１ａに接着剤を塗布しておき、内周面６１ａに沿って雨水取出器１下部の丸樋接続面１１を嵌合させながら、雨水取出器１を図２の当接面３０に丸樋６１の上端部が突き当たるまで下方に落とし込み、丸樋接続面１１と、丸樋６１の内周面６１ａとを接着剤により接合する。これにより、切断部分上側の丸樋６１と雨水取出器１と切断部分下側の丸樋６１とが接続される。
【００２８】
その後、雨水取出器１の雨水取出口４と、別途の場所に設置された雨水貯留槽をホースなどで繋ぐ。このようにして使用状態とされた雨水取出器１により、丸樋６１から流下する雨水は、雨水取出器１の雨水取出口４からホースなどを通じて取り出され、雨水貯留槽に導入されて貯留され、所望の用途に利用される。
【００２９】
一方、雨水取出器１を図４のように角樋６２に接続する施工時には、上記と同様にして、切断部分上側の角樋６２の下端部を蓋体３の開口部に挿入し、雨水取出器本体２と共に上方に移動させる。
【００３０】
次に、切断部分下側の角樋６２の外周面６２ａに接着剤を塗布しておき、外周面６２ａに沿って雨水取出器１下部の角樋接続面２１を嵌合させながら、雨水取出器１を図２の当接面３０に角樋６２の上端部が突き当たるまで下方に落とし込み、角樋接続面２１と、角樋６２の外周面６２ａとを接着剤により接合する。これにより、切断部分上側の角樋６２と雨水取出器１と切断部分下側の角樋６２とが接続される。
【００３１】
その後、雨水取出器１の雨水取出口４と、別途の場所に設置された雨水貯留槽をホースなどで繋ぐ。このようにして使用状態とされた雨水取出器１により、角樋６２から流下する雨水は、雨水取出器１の雨水取出口４からホースなどを通じて取り出され、雨水貯留槽に導入されて貯留され、所望の用途に利用される。
【００３２】
以上のように、本実施形態の雨水取出器１によれば、丸樋６１を接続可能な丸樋接続部１０と、角樋６２を接続可能な角樋接続部２０を雨水取出器１の下部に設けたので、たて樋６０の形状が丸樋６１と角樋６２のいずれであっても雨水取出器１を接続することができる。
【００３３】
図５は、本発明の第２の実施形態における雨水取出器の下部側の縦断面図である。なお、本実施形態において第１の実施形態と共通する部分には同一の符号を付し、その詳細な説明を省略する。
【００３４】
本実施形態の雨水取出器１は、図５に示すように、雨水流下路３５の外側において下方に延びる円筒状の丸樋接続部１０が、その外側において下方に延びる角樋接続部２０の下端面２２よりも下方に突出している。
【００３５】
このように、丸樋接続部１０を角樋接続部２０の下端面２２よりも下方に突出させるようにしたので、雨水取出器１を角樋６２に接続した場合に、角樋接続部２０の下端面２２よりも下方に長く延びる丸樋接続部１０により、角樋接続部２０からの雨水の水漏れを抑制することができる。
【００３６】
図６は、本発明の第３の実施形態における雨水取出器の平面図である。なお、本実施形態では、雨水取出器本体２の構成は第１の実施形態と同様でありその詳細な説明を省略する。
【００３７】
本実施形態の雨水取出器１は、雨水取出器１の上部に配置された蓋体３に、丸樋６１の形状に対応する丸形状の開口部４０が形成されており、開口部４０の周縁部に、穴加工により開口部４０を角樋６２の形状に対応する角形状とすることができる穴加工面４１を有している。
【００３８】
雨水取出器１を接続すべきたて樋６０が丸樋６１である場合には、開口部４０の穴加工をせずにそのままの状態で蓋体３を使用し、丸形状の開口部４０に丸樋６１を挿入して、上記において説明した手順に従って雨水取出器１を丸樋６１に接続することで、蓋体３によって雨水取出器１の上部を閉鎖することができる。
【００３９】
一方、雨水取出器１を接続すべきたて樋６０が角樋６２である場合には、切断などによる穴加工を蓋体３の穴加工面４１に施して、開口部４０を角樋６２の形状に対応する図６の点線で示した角形状とする。その後、角形状の開口部４０に角樋６２を挿入して、上記において説明した手順に従って雨水取出器１を角樋６２に接続することで、蓋体３によって雨水取出器１の上部を閉鎖することができる。
【００４０】
以上のように、本実施形態の雨水取出器１によれば、接続すべきたて樋６０が丸樋６１と角樋６２のいずれであっても、開口部４０をたて樋６０と同じ形状とすることができるため、蓋体３によって雨水取出器１の上部を閉鎖し、外部からの塵埃、落ち葉などのゴミや虫の侵入を防止することができる。
【００４１】
図７は、本発明の第４の実施形態における雨水取出器の平面図である。なお、本実施形態では、雨水取出器本体２の構成は第１の実施形態と同様でありその詳細な説明を省略する。
【００４２】
本実施形態の雨水取出器１は、雨水取出器１の上部に配置された蓋体３が、硬質ポリ塩化ビニル樹脂などの硬質樹脂からなり角樋６２の形状に対応する角状開口部５１が形成された蓋体本体５０と、軟質ポリ塩化ビニル樹脂、スチレン系エラストマーなどの軟質樹脂からなり、角状開口部５１の内側に配置され、丸樋６１の形状に対応する丸状開口部５３を角状開口部５１の内側に硬軟同時成形により形成する軟質部材５２を有している。
【００４３】
雨水取出器１を接続すべきたて樋６０が丸樋６１である場合には、軟質部材５２により形成された丸状開口部５３に丸樋６１を挿入して、上記において説明した手順に従って雨水取出器１を丸樋６１に接続することで、蓋体３によって雨水取出器１の上部を閉鎖することができる。
【００４４】
一方、雨水取出器１を接続すべきたて樋６０が角樋６２である場合には、角樋６２を押し込むことにより、柔軟な軟質部材５２を拡開変形させて蓋体本体５０の角状開口部５１に角樋６２を挿入し、上記において説明した手順に従って雨水取出器１を角樋６２に接続することで、蓋体３によって雨水取出器１の上部を閉鎖することができる。
【００４５】
以上のように、本実施形態の雨水取出器１によれば、接続すべきたて樋６０が丸樋６１と角樋６２のいずれであっても、蓋体３の開口部をたて樋６０と同じ形状とすることができるため、蓋体３によって雨水取出器１の上部を閉鎖し、外部からの塵埃、落ち葉などのゴミや虫の侵入を防止することができる。
【００４６】
以上に、実施形態に基づき本発明を説明したが、本発明は上記の実施形態に何ら限定されるものではなく、その要旨を逸脱しない範囲内において各種の変更が可能である。
【図面の簡単な説明】
【００４７】
【図１】本発明の第１の実施形態における雨水取出器の底面図である。
【図２】本発明の第１の実施形態における雨水取出器の下部側の縦断面図である。
【図３】雨水取出器に丸樋を接続した状態を示す底面図である。
【図４】雨水取出器に角樋を接続した状態を示す底面図である。
【図５】本発明の第２の実施形態における雨水取出器の下部側の縦断面図である。
【図６】本発明の第３の実施形態における雨水取出器の平面図である。
【図７】本発明の第４の実施形態における雨水取出器の平面図である。
【図８】従来の雨水取出器の外観を示した斜視図である。
【符号の説明】
【００４８】
１      雨水取出器
３      蓋体
４      雨水取出口
１０      丸樋接続部
１１      丸樋接続面
２０      角樋接続部
２１      角樋接続面
２２      下端面
３５      雨水流下路
４０      開口部
４１      穴加工面
５０      蓋体本体
５１      角状開口部
５２      軟質部材
５３      丸状開口部
６０      たて樋
６１      丸樋
６１ａ    内周面
６２      角樋
６２ａ    外周面
【図１】
2009079389.tif 000003
【図２】
2009079389.tif 000004
【図３】
2009079389.tif 000005
【図４】
2009079389.tif 000006
【図５】
2009079389.tif 000007
【図６】
2009079389.tif 000008
【図７】
2009079389.tif 000009
【図８】
2009079389.tif 000010